(57)【特許請求の範囲】
【請求項１】
それぞれ終端に内線端末を接続できる複数の内線を収容し、複数の通信チャネルを有する少なくとも１つのデジタル通信網を接続可能な構内交換装置において、
前記デジタル通信網から通信チャネルごとに割り当てられた加入者情報に対応付けて、前記デジタル通信網上でメッセージを送受信するために使用する終端点識別子を格納した記憶手段と、
前記デジタル通信網を使用した交換に係わるサービスの実行要求が発生した場合に、該実行要求に応じて使用すべき加入者情報及び終端点識別子を前記記憶手段から参照し、この参照結果に基づき前記デジタル通信網との間でメッセージを送受信し、この送受信されたメッセージに基づき前記サービスを実行するサービス実行制御手段とを具備したことを特徴とする構内交換装置。
【請求項２】
それぞれ終端に内線端末を接続できる複数の内線を収容し、複数の通信チャネルを有する少なくとも１つのデジタル通信網を接続可能な構内交換装置において、
前記デジタル通信網から通信チャネルごとに割り当てられた加入者情報に対応付けて、前記デジタル通信網上でメッセージを送受信するために使用する終端点識別子を格納した記憶手段と、
前記デジタル通信網から交換に係わるサービスの実行要求が到来した場合に、該実行要求に含まれる加入者情報に対応する終端点識別子を前記記憶手段から参照し、この参照結果に基づき前記デジタル通信網との間でメッセージを送受信し、この送受信されたメッセージに基づき前記サービスを実行するサービス実行制御手段とを具備したことを特徴とする構内交換装置。
【請求項３】
それぞれ終端に内線端末を接続できる複数の内線を収容し、複数の通信チャネルを有する少なくとも１つのデジタル通信網を接続可能な構内交換装置において、
前記デジタル通信網から通信チャネルごとに割り当てられた加入者情報に対応付けて、前記デジタル通信網上でメッセージを送受信するために使用する終端点識別子を格納した記憶手段と、
前記デジタル通信網から交換に係わるサービスの実行要求が到来した場合に、該実行要求に含まれる加入者情報に対応する終端点識別子を前記記憶手段から参照し、この参照結果に基づき前記デジタル通信網との間でメッセージを送受信し、この送受信されたメッセージに基づき前記サービスを実行する第１のサービス実行制御手段と、
前記デジタル通信網から交換に係わるサービスの実行要求が到来した場合に、前記複数の終端点識別子の中から空いている終端点識別子を選択して、その終端点識別子に基づいて前記デジタル通信網との間でメッセージを送受信し、この送受信されたメッセージに基づき前記サービスを実行する第２のサービス実行制御手段と、
外部からの指定操作に応じて、前記第１及び第２のサービス実行制御手段を選択的に実行させる選択制御手段とを具備したことを特徴とする構内交換装置。
【請求項４】
それぞれ終端に内線端末を接続できる複数の内線を収容し、複数の通信チャネルを有する少なくとも１つのデジタル通信網を接続可能な構内交換装置において、
前記デジタル通信網から通信チャネルごとに割り当てられた加入者情報に対応付けて、前記デジタル通信網上でメッセージを送受信するために使用する終端点識別子を格納した記憶手段と、
前記内線端末から前記デジタル通信網を使用した交換に係わるサービスの実行要求が発生した場合に、前記記憶手段に記憶された複数の終端点識別子から空いている終端点識別子を選択し、この選択した終端点識別子に対応する加入者情報をもとに、前記デジタル通信網との間でメッセージを送受信し、この送受信されたメッセージに基づき前記サービスを実行するサービス実行制御手段とを具備したことを特徴とする構内交換装置。
【請求項５】
それぞれ終端に内線端末を接続できる複数の内線を収容し、複数の通信チャネルを有する少なくとも１つのデジタル通信網を接続可能な構内交換装置において、
前記デジタル通信網から通信チャネルごとに割り当てられた加入者情報に対応付けて、前記デジタル通信網上でメッセージを送受信するために使用する終端点識別子を格納した記憶手段と、
前記内線端末から前記デジタル通信網を使用した交換に係わるサービスの実行要求が発生した場合に、前記記憶手段に記憶された複数の終端点識別子から空いている終端点識別子を選択し、この選択した終端点識別子に対応する加入者情報をもとに、前記デジタル通信網との間でメッセージを送受信し、この送受信されたメッセージに基づき前記サービスを実行する第１のサービス実行制御手段と、前記内線端末から前記デジタル通信網を使用した交換に係わるサービスの実行要求が発生した場合に、前記記憶手段に記憶された複数の終端点識別子から空いている終端点識別子を選択するとともに、複数の加入者情報の中から空いている加入者情報を選択し、これら選択した終端点識別子及び加入者情報をもとに、前記デジタル通信網との間でメッセージを送受信し、この送受信されたメッセージに基づき前記サービスを実行する第２のサービス実行制御手段と、
外部からの指定操作に応じて、前記第１及び第２のサービス実行制御手段を選択的に実行させる選択制御手段とを具備したことを特徴とする構内交換装置。
【発明の詳細な説明】
【０００１】
【発明の属する技術分野】
この発明は、例えばＩＳＤＮ網といったデジタル通信網を接続可能な構内交換装置に関する。
【０００２】
【従来の技術】
従来よりオフィスビルや事業所では、構内交換装置が多く使用されている。この種の構内交換装置は、例えば電話機等を内線端末として収容し、この内線端末と公衆網等の外部通信網との間及び内線端末相互間を交換接続して通話を可能にしている。また、外部通信網としては、ＩＳＤＮ網も含まれている。
【０００３】
ところで、上記構内交換装置では、ＩＳＤＮ網に接続された場合に、自装置の立ち上げ時にレイヤ１確立後、ＩＳＤＮ網に対して終端点識別子（ＴＥＩ：Terminal Endpoint Identifier）の割り当てを要求する。そして、ＩＳＤＮ網からＴＥＩを割り当てられると、ＩＳＤＮ網と構内交換装置との間にレイヤ２のデータリンクを確立し、通信可能な状態に遷移する。
【０００４】
また、上記構内交換装置では、基本インタフェース（ＢＲＩ：Basic Rate interface）を収容した場合に、ＩＳＤＮ網によっては複数の呼を同時に制御するために、１回線で複数のＴＥＩを割り当てる必要があり、このためＩＳＤＮ網との間で通信を行う際には、通常空き状態のＴＥＩを選択し、このＴＥＩを使用してメッセージを送信している。
【０００５】
【発明が解決しようとする課題】
ところが、ＩＳＤＮ網の一部には、データリンク確立後に加入者番号とＴＥＩとを１対１で関連付けて使用するものも存在するため、同一回線で２つのＴＥＩを有する時、構内交換装置が空き状態とみなして選択したＴＥＩを使用してＩＳＤＮ網にメッセージを送信した場合に、そのＴＥＩがＩＳＤＮ網側で加入者番号と関連付けを行ったものと異なる時、通信を拒否されてしまうことになる。
【０００６】
そこで、この発明の目的は、種々のデジタル通信網に接続されても柔軟に対応可能な構内交換装置を提供することにある。
【０００７】
【課題を解決するための手段】
この発明に係る構内交換装置は、上記目的を達成するために、以下のように構成される。
【０００８】
（１）それぞれ終端に内線端末を接続できる複数の内線を収容し、複数の通信チャネルを有する少なくとも１つのデジタル通信網を接続可能な構内交換装置において、
デジタル通信網から通信チャネルごとに割り当てられた加入者情報に対応付けて、デジタル通信網上でメッセージを送受信するために使用する終端点識別子を格納した記憶手段と、デジタル通信網から交換に係わるサービスの実行要求が到来した場合に、該実行要求に含まれる加入者情報に対応する終端点識別子を記憶手段から参照し、この参照結果に基づきデジタル通信網との間でメッセージを送受信し、この送受信されたメッセージに基づきサービスを実行するサービス実行制御手段とを備えるようにしたものである。
【０００９】
上記（１）の発明によれば、各加入者情報ごとに終端点識別子が固定的に用意されるので、加入者情報と終端点識別子とを１対１に対応付けて管理しているデジタル通信網に接続された場合にも、常にデジタル通信網側が期待する終端点識別子を使用してメッセージを送受信することが可能となり、デジタル通信網から通信を拒否されることを防止できる。
【００１０】
また、各加入者情報ごとに終端点識別子が固定的に用意されるので、複数の交換サービスの実行要求が同一時間帯に発生した場合でも、これらの交換サービスに係わるメッセージの転送を並行して行えるようになり、これにより上記複数の交換サービス制御を効率良く実行できる。
【００１１】
（２）それぞれ終端に内線端末を接続できる複数の内線を収容し、複数の通信チャネルを有する少なくとも１つのデジタル通信網を接続可能な構内交換装置において、
デジタル通信網から通信チャネルごとに割り当てられた加入者情報に対応付けて、デジタル通信網上でメッセージを送受信するために使用する終端点識別子を格納した記憶手段と、デジタル通信網から交換に係わるサービスの実行要求が到来した場合に、該実行要求に含まれる加入者情報に対応する終端点識別子を記憶手段から参照し、この参照結果に基づきデジタル通信網との間でメッセージを送受信し、この送受信されたメッセージに基づきサービスを実行する第１のサービス実行制御手段と、デジタル通信網から交換に係わるサービスの実行要求が到来した場合に、複数の終端点識別子の中から空いている終端点識別子を選択して、その終端点識別子に基づいてデジタル通信網との間でメッセージを送受信し、この送受信されたメッセージに基づきサービスを実行する第２のサービス実行制御手段と、外部からの指定操作に応じて、第１及び第２のサービス実行制御手段を選択的に実行させる選択制御手段とを備えるようにしたものである。
【００１２】
上記（２）の発明によれば、例えば加入者情報と終端点識別子とを１対１に対応付けて管理しているデジタル通信網に接続された場合には、加入者情報に固定的に対応付けられた終端点識別子を使用してメッセージを送受信し、一方別のデジタル通信網に接続された場合については複数の終端点識別子の中から空いている終端点識別子を使用してメッセージを送受信するというように、デジタル通信網ごとに最適な交換サービス制御を実行できる。
【００１３】
（３）それぞれ終端に内線端末を接続できる複数の内線を収容し、複数の通信チャネルを有する少なくとも１つのデジタル通信網を接続可能な構内交換装置において、
デジタル通信網から通信チャネルごとに割り当てられた加入者情報に対応付けて、デジタル通信網上でメッセージを送受信するために使用する終端点識別子を格納した記憶手段と、内線端末からデジタル通信網を使用した交換に係わるサービスの実行要求が発生した場合に、記憶手段に記憶された複数の終端点識別子から空いている終端点識別子を選択し、この選択した終端点識別子に対応する加入者情報をもとに、デジタル通信網との間でメッセージを送受信し、この送受信されたメッセージに基づき前記サービスを実行するサービス実行制御手段とを備えるようにしたものである。
【００１４】
上記（３）の発明によれば、内線端末からデジタル通信網側宛への発信がなされた場合にも、上記（１）の発明と同様の作用効果が得られる。
【００１５】
（４）それぞれ終端に内線端末を接続できる複数の内線を収容し、複数の通信チャネルを有する少なくとも１つのデジタル通信網を接続可能な構内交換装置において、
デジタル通信網から通信チャネルごとに割り当てられた加入者情報に対応付けて、デジタル通信網上でメッセージを送受信するために使用する終端点識別子を格納した記憶手段と、内線端末からデジタル通信網を使用した交換に係わるサービスの実行要求が発生した場合に、記憶手段に記憶された複数の終端点識別子から空いている終端点識別子を選択し、この選択した終端点識別子に対応する加入者情報をもとに、デジタル通信網との間でメッセージを送受信し、この送受信されたメッセージに基づきサービスを実行する第１のサービス実行制御手段と、内線端末からデジタル通信網を使用した交換に係わるサービスの実行要求が発生した場合に、記憶手段に記憶された複数の終端点識別子から空いている終端点識別子を選択するとともに、複数の加入者情報の中から空いている加入者情報を選択し、これら選択した終端点識別子及び加入者情報をもとに、デジタル通信網との間でメッセージを送受信し、この送受信されたメッセージに基づきサービスを実行する第２のサービス実行制御手段と、外部からの指定操作に応じて、第１及び第２のサービス実行制御手段を選択的に実行させる選択制御手段とを備えるようにしたものである。
【００１６】
上記（４）の発明によれば、内線端末からデジタル通信網側宛への発信がなされた場合にも、上記（２）の発明と同様の作用効果が得られる。
【００１７】
【発明の実施の形態】
以下、この発明の実施形態について図面を参照して詳細に説明する。
【００１８】
（第１の実施形態）
図１は、この発明に係わる交換システムの第１の実施形態の構成を示すブロック図である。
【００１９】
交換システムは、同図に示すように、主装置１に、複数（最大ｉ個）の内線端末２（２−１〜２−ｉ）を任意に接続して構成されている。
【００２０】
主装置１は、さらに、タイムスイッチ１１、ＩＳＤＮインタフェース回路１２、複数（ｉ個）の内線インタフェース回路１３（１３−１〜１３−ｉ）、制御部１４、記憶部１５及びデータハイウェイインタフェース部１６を備えており、タイムスイッチ１１、ＩＳＤＮインタフェース回路１２、内線インタフェース回路１３は、ＰＣＭハイウェイ１７介して互いに接続されている。
【００２１】
また、ＩＳＤＮインタフェース回路１２、内線インタフェース回路１３及びデータハイウェイインタフェース部１６は、データハイウェイ１８を介して互いに接続されている。さらに、制御部１４、記憶部１５及びデータハイウェイインタフェース部１６は、ＣＰＵバス１９を介して互いに接続されている。なお、タイムスイッチ１１は、制御部１４に直接接続されている。
【００２２】
タイムスイッチ１１は、制御部１４の制御に基づいてＰＣＭハイウェイ１７上のタイムスロットの入れ替えを行なうことによって、ＩＳＤＮインタフェース回路１２及び内線インタフェース回路１３を任意に交換接続する。
【００２３】
ＩＳＤＮインタフェース回路１２には、ＩＳＤＮ網３が必要に応じて接続される。ＩＳＤＮインタフェース回路１２は、接続されたＩＳＤＮに関するインタフェース動作を行なう。また、ＩＳＤＮインタフェース回路１２は、上記インタフェース動作に係わる種々の制御情報の授受を、データハイウェイ１８、データハイウェイインタフェース部１６及びＣＰＵバス１９を介して制御部１４との間で行なう。
【００２４】
内線インタフェース回路１３には、内線端末２が必要に応じて接続される。内線インタフェース回路１３は、接続された内線端末２に関する内線インタフェース動作を行なう。内線インタフェース動作は、内線端末２から出力されるＰＣＭ信号のＰＣＭハイウェイ１７からの抽出、内線端末２の状態監視や、内線端末２に対する種々の信号の送出などである。また、内線インタフェース回路１３は、上記内線インタフェース動作に係わる種々の制御情報の授受を、データハイウェイ１８、データハイウェイインタフェース部１６及びＣＰＵバス１９を介して制御部１４との間で行なう。
【００２５】
制御部１４は、記憶部１５に格納されている動作プログラムに基づいた処理を行なうことで、タイムスイッチ１１、ＩＳＤＮインタフェース回路１２及び内線インタフェース回路１３のそれぞれを総括制御し、主装置１としての動作を実現する。
【００２６】
記憶部１５は、制御部１４の動作プログラムや、その他の永続的に使用される各種のデータを記憶している。
【００２７】
データハイウェイインタフェース部１６は、データハイウェイ１８とＣＰＵバス１９との間でのデータの授受を行なう。
【００２８】
ところで、この実施形態の制御部１４には、着番号分析部１４１と、ＴＥＩ分析部１４２と、発番号設定部１４３とが備えられる。さらに、記憶部１５には、加入者番号テーブル１５１と、ＴＥＩ対応インデックステーブル１５２とが備えられる。
【００２９】
加入者番号テーブル１５１には、図２に示すように、ＩＳＤＮ網３から通話チャネル（Ｂチャネル）毎に割り当てられた加入者番号と、インデックスとの対応関係を表わすデータが格納されている。
【００３０】
ＴＥＩ対応インデックステーブル１５２には、図３に示すように、インデックスとＴＥＩとの対応関係を表わすデータが格納されている。
【００３１】
着番号分析部１４１は、ＩＳＤＮ網３から自装置宛の着信信号が到来した場合に、その着信信号に含まれる加入者番号を分析する。
【００３２】
ＴＥＩ分析部１４２は、上記着番号分析部１４１により分析された加入者番号に対応するインデックスを加入者番号テーブル１５１から読み出し、この読み出したインデックスに対応するＴＥＩをＴＥＩ対応インデックステーブル１５２から読み出し、このＴＥＩを使用してＩＳＤＮ網３に対するメッセージの通信制御及びサービスの実行制御を行う。また、内線端末２からＩＳＤＮ網３への発信がなされた場合には、ＴＥＩ対応インデックステーブル１５２から空いているＴＥＩを選択する。
【００３３】
発番号設定部１４３は、内線端末２からＩＳＤＮ網３への発信がなされた場合に、上記ＴＥＩ分析部１４２により選択されたＴＥＩに対応する加入者番号を加入者番号テーブル１５１から読み出し、この加入者番号を使用してメッセージの通信制御を行う。
【００３４】
次に、以上のように構成されたシステムの動作について説明する。
【００３５】
（着信動作）
例えば図４に示すように、ＩＳＤＮ網３から内線端末２−２に対する呼設定メッセージ（ＳＥＴＵＰ）が到来したとする。そうすると、主装置１は、呼設定メッセージに含まれる着番号（９４９５８３１２００）を分析して、該当する内線端末２−２に対し着信データを転送して着信報知を行わせるとともに、着番号に対応するＴＥＩ（６５）をＴＥＩ対応インデックステーブル１５２から読み出し、この読み出したＴＥＩを使用してＩＳＤＮ網３に対して呼設定受付メッセージ（ＣＡＬＬ  ＰＲＯＣ）を送信する。
【００３６】
かくして、着信報知に対し内線端末２−２が応答すると、内線端末２−２とＩＳＤＮ網３側の相手端末との間が接続され、音声通信を行うことが可能となる。
【００３７】
上記動作中に、主装置１の制御部１４は、図５に示すような制御処理を開始する。
【００３８】
この制御処理を開始すると制御部１４はまず、ＩＳＤＮ網３からの着信か否かの判断を行う（ステップＳＴ５ａ）。そして、ＩＳＤＮ網３以外の着信であれば制御部１４は、アナログ局線の交換接続などのような通常の着信制御処理に移行する。
【００３９】
これに対して、ＩＳＤＮ網３からの着信であれば制御部１４は、その着番号の分析を行い（ステップＳＴ５ｂ）、この分析した着番号に対応するＴＥＩをＴＥＩ対応インデックステーブル１５２から読み出す（ステップＳＴ５ｃ）。この際、制御部１４は、読み出したＴＥＩが使用中であるか否かの判断を行う（ステップＳＴ５ｄ）。
【００４０】
なお、上記判定の結果、ＴＥＩが使用中であった場合には制御部１４は、発信元となるＩＳＤＮ網３側の端末に対し通信不可を通知する。
【００４１】
これに対し、ＴＥＩが空き状態であれば制御部１４は、そのＴＥＩを使用してＩＳＤＮ網３に対して呼設定受付メッセージを送信する（ステップＳＴ５ｅ）。
【００４２】
（ＩＳＤＮ網への発信動作）
例えば図６に示すように、内線端末２−１がＩＳＤＮ網３を指定してＩＳＤＮ網３に対する発信を行ったとする。そうすると、主装置１は、ＴＥＩ対応インデックステーブル１５２に格納されているＴＥＩの中から空いているＴＥＩを選択し、さらにこの選択したＴＥＩに対応する加入者番号を加入者番号テーブル１５１から読み出し、この読み出した加入者番号及びＴＥＩを使用してＩＳＤＮ網３に対し呼設定メッセージを送信する。
【００４３】
かくして、内線端末２−１とＩＳＤＮ網３側の相手端末との間が接続され、音声通信を行うことが可能となる。
【００４４】
上記動作中に、主装置１の制御部１４は、図７に示すような制御処理を開始する。
【００４５】
この制御処理を開始すると制御部１４はまず、ＩＳＤＮ網３への着信か否かの判断を行う（ステップＳＴ７ａ）。そして、ＩＳＤＮ網３以外への発信であれば制御部１４は、アナログ局線の交換接続などのような通常の発信制御処理に移行する。
【００４６】
これに対して、ＩＳＤＮ網３への発信であれば制御部１４は、ＴＥＩ対応インデックステーブル１５２の中から空き状態にあるＴＥＩを読み出す（ステップＳＴ７ｂ）。この際、制御部１４は、空き状態にあるＴＥＩがあるか否かの判断を行う（ステップＳＴ７ｃ）。
【００４７】
なお、上記判定の結果、空き状態のＴＥＩが無かった場合には制御部１４は、発信元となる内線端末２−１に対し通信不可を通知する。
【００４８】
これに対し、空き状態のＴＥＩがあれば制御部１４は、そのＴＥＩに対応する加入者番号を加入者番号テーブル１５１から読み出し（ステップＳＴ７ｄ）、その加入者番号及びＴＥＩを使用してＩＳＤＮ網３に対して呼設定メッセージを送信する（ステップＳＴ７ｅ）。
【００４９】
以上のように上記第１の実施形態では、主装置１の記憶部１５に、加入者番号とＴＥＩとを１対１に対応付けた加入者番号テーブル１５１及びＴＥＩ対応インデックステーブル１５２を設け、かつ制御部１４に着番号分析部１４１、ＴＥＩ分析部１４２及び発番号設定部１４３を設け、ＩＳＤＮ網３から自装置宛の着信信号が到来した場合に、その着信信号に含まれる加入者番号を着番号分析部１４１により分析し、その分析した加入者番号に対応するＴＥＩをＴＥＩ対応インデックステーブル１５２から読み出し、このＴＥＩを使用してＩＳＤＮ網３に対するメッセージの通信制御及びサービスの実行制御を行うようにしている。
【００５０】
また、内線端末２からＩＳＤＮ網３への発信がなされた場合には、ＴＥＩ分析部１４２にて、ＴＥＩ対応インデックステーブル１５２から空いているＴＥＩを選択し、そのＴＥＩに対応する加入者番号を発番号設定部１４３にて加入者番号テーブル１５１から読み出し、この加入者番号を使用してメッセージの通信制御を行うようにしている。
【００５１】
従って、加入者番号とＴＥＩとを１対１に対応付けて管理しているデジタル通信網３に接続された場合にも、常にデジタル通信網３側が期待するＴＥＩを使用してメッセージを送受信することが可能となり、これによりデジタル通信網３から通信を拒否されることを防止できる。
【００５２】
また、上記実施形態では、各加入者番号ごとにＴＥＩが固定的に用意されるので、複数の交換サービスの実行要求が同一時間帯に発生した場合でも、これらの交換サービスに係わるメッセージの転送を並行して行えるようになり、これにより上記複数の交換サービス制御を効率良く実行できる。
【００５３】
（第２の実施形態）
図８は、この発明に係わる交換システムの第２の実施形態の構成を示すブロック図である。なお、この図８において、上記図１と同一部分には同一符号を付して詳細な説明を省略する。
【００５４】
すなわち、第２の実施形態では、ＣＰＵバス１９上に切替スイッチ２０を設けており、かつ制御部１４にメッセージ送受信部１４４を設けている。
【００５５】
切替スイッチ２０は、ユーザや保守作業者が、制御部１４の動作モードを、加入者番号とＴＥＩとを１対１に対応付ける第１の動作モード、及び加入者番号とＴＥＩとを１対１に対応付けない第２の動作モードのいずれかに設定するためのスイッチである。
【００５６】
メッセージ送受信部１４４は、第２の動作モード設定時に、ＩＳＤＮ網３を利用した交換に係わるサービスの実行要求が発生した場合に、ＴＥＩ対応インデックステーブル１５２の中から空き状態にあるＴＥＩを選択し、そのＴＥＩを使用してＩＳＤＮ網３との間でメッセージを送受信し、この送受信されたメッセージに基づきサービス制御を行う。
【００５７】
次に、以上のように構成されたシステムの動作について説明する。
【００５８】
ＩＳＤＮ網３からの着信が到来すると、制御部１４は図９に示すような制御処理を開始する。
【００５９】
この制御処理を開始すると制御部１４はまず、ＩＳＤＮ網３からの着信か否かの判断を行う（ステップＳＴ９ａ）。そして、ＩＳＤＮ網３以外の着信であれば制御部１４は、アナログ局線の交換接続などのような通常の着信制御処理に移行する。
【００６０】
これに対して、ＩＳＤＮ網３からの着信であれば制御部１４は、切替スイッチ２０の状態を確認し、動作モードの判断を行う（ステップＳＴ９ｂ）。
【００６１】
そして、第１の動作モードが設定されているならば制御部１４は、着番号に対応するＴＥＩをＴＥＩ対応インデックステーブル１５２から読み出し（ステップＳＴ９ｃ）、そのＴＥＩを使用してＩＳＤＮ網３に対して呼設定受付メッセージを送信する（ステップＳＴ９ｄ）。
【００６２】
これに対して、第２の動作モードが設定されているならば制御部１４は、ＴＥＩ対応インデックステーブル１５２から空き状態にあるＴＥＩを読み出し（ステップＳＴ９ｅ）、そのＴＥＩを使用してＩＳＤＮ網３に対して呼設定受付メッセージを送信する（ステップＳＴ９ｆ）。
【００６３】
なお、ＩＳＤＮ網３への発信時においても、上記と同様の動作手順が実行される。
【００６４】
以上のように上記第２の実施形態であれば、例えば加入者番号とＴＥＩとを１対１に対応付けて管理しているＩＳＤＮ網３に接続された場合には、加入者番号に固定的に対応付けられたＴＥＩを使用してメッセージを送受信し、一方別のＩＳＤＮ網３に接続された場合についてはＴＥＩ対応インデックステーブル１５２に蓄積管理されている複数のＴＥＩの中から空いているＴＥＩを使用してメッセージを送受信するというように、ＩＳＤＮ網３ごとに最適な交換サービス制御を実行できる。
【００６５】
（その他の実施形態）
前記各実施形態では、主装置に接続されるデジタル通信網としてＩＳＤＮ網を使用した場合を例にとって説明したが、ＩＳＤＮ網以外の他のデジタル通信網を使用するようにしてもよい。
【００６６】
また、前記第２の実施形態では、第１の動作モード及び第２の動作モードを選択的に切り替えるために、切替スイッチを使用する例について説明したが、時間帯もしくは通信トラフィック状態に応じて自動的に切り替えるものであってもよい。
【００６７】
さらに、前記各実施形態では、メッセージの送受信にＴＥＩを使用する例について説明したが、ＴＥＩ以外の終端点識別子を用いるようにしてもよい。
【００６８】
その他、主装置の種類やその構成、内線端末の種類、メッセージの送受信を行う際の主装置の制御手順とその内容、ＴＥＩや加入者情報の内容等についても、この発明の要旨を逸脱しない範囲で種々変形して実施できる。
【００６９】
【発明の効果】
以上詳述したようにこの発明によれば、種々のデジタル通信網に柔軟に対応して接続可能な構内交換装置を提供することができる。
【図面の簡単な説明】
【図１】この発明に係る交換システムの第１の実施形態を示すブロック図。
【図２】図１に示した加入者番号テーブルの記憶内容の一例を示す図。
【図３】図１に示したＴＥＩ対応インデックステーブルの記憶内容の一例を示す図。
【図４】第１の実施形態に係るシステムにおいて、着信処理動作の一例を説明するための図。
【図５】第１の実施形態に係るシステムにおいて、着信処理動作の制御手順と制御内容を示すフローチャート。
【図６】第１の実施形態に係るシステムにおいて、ＩＳＤＮ網への発信処理動作の一例を説明するための図。
【図７】第１の実施形態に係るシステムにおいて、ＩＳＤＮ網への発信処理動作の制御手順と制御内容を示すフローチャート。
【図８】この発明に係る交換システムの第２の実施形態を示すブロック図。
【図９】第２の実施形態に係るシステムにおいて、着信処理動作の制御手順と制御内容を示すフローチャート。
【符号の説明】
１…主装置、
２（２−１〜２−ｉ）…内線端末、
３…ＩＳＤＮ網、
１１…タイムスイッチ、
１２…ＩＳＤＮインタフェース回路、
１３（１３−１〜１３−ｉ）…内線インタフェース回路、
１４…制御部、
１５…記憶部、
１６…データハイウェイインタフェース部、
１７…ＰＣＭハイウェイ、
１８…データハイウェイ、
１９…ＣＰＵバス、
２０…切替スイッチ、
１４１…着番号分析部、
１４２…ＴＥＩ分析部、
１４３…発番号設定部、
１４４…メッセージ送受信部、
１５１…加入者番号テーブル、
１５２…ＴＥＩ対応インデックステーブル。
【図１】
0003689036.tif 000002
【図２】
0003689036.tif 000003
【図３】
0003689036.tif 000004
【図４】
0003689036.tif 000005
【図５】
0003689036.tif 000006
【図６】
0003689036.tif 000007
【図７】
0003689036.tif 000008
【図８】
0003689036.tif 000009
【図９】
0003689036.tif 000010